【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
AC電源が入力されるACターミナル、前記AC電源をDC電源に整流するAC/DC 変換器、 第1電力値のDC電源を出力するDCターミナル、前記DC電源の出力をオン/オフさせる充電パックスィッチが用意される充電パック; を含み、
前記充電パックが複数に配列され相互並列連結され、
前記充電パックの設置個数の増減または前記各充電パックスィッチのオン/オフ可否によって、 前記第1電力値から前記第1電力値の陽の整数倍にあたる多様な電力値に整流された前記DC電源が前記充電パックの配列から電気車に供給されて、
前記DC電源の電力値変化に従って前記電気車の充電速度調節が可能なユニバーサル充電装置。
【請求項２】
前記充電パックが並列連結状態で複数個配列される充電モジュール;を含み、
前記充電モジュールは、前記ACターミナルに前記AC電源を共通入力するAC入力部、前記DCターミナルを並列連結するDC出力部、前記充電パックとデータ通信しながら前記充電パックスィッチのオン/オフ可否を前記充電パック別に個別制御する充電モジュールコントローラーを含んで、
前記充電モジュールコントローラーによる前記各々の充電パックスィッチのオン/オフ可否によって前記DC出力部で出力される前記DC電源の電力値が可変される請求項１に記載のユニバーサル充電装置。
【請求項３】
前記AC入力部に共通連結されるACバスバーと、前記DC出力部を並列連結するDCバスバーを具備し、前記充電モジュールが着脱可能に複数並列連結される充電ユニット;を含み、
前記充電ユニットに設置される前記充電モジュールの個数に比例し前記DCバスバーで出力される前記DC電源の電力値が可変される 請求項２に記載のユニバーサル充電装置。
【請求項４】
前記第1電力値を出力する前記DCターミナルの出力電圧または出力電流を可変させることができ、
前記DCターミナル及び前記電気車を連結するコネクターが複数に用意される時、前記各々のコネクター別に相互区別される電力値、相互区別される出力電圧及び相互区別される出力電流を認可することができる 請求項１に記載のユニバーサル充電装置。
【請求項５】
前記第1電力値を出力する前記DCターミナルの出力電圧または出力電流を可変させることができ、
前記第1電力値の陽の整数倍を出力する前記DC出力部または前記DCバスバーの出力電圧または出力電流を可変させることができ、
前記DCターミナル、前記DC出力部及び前記DCバスバーの中で何れか一つと前記電気車を連結するコネクターが複数に用意される時、前記各々のコネクター別に相互区別される電力値、相互区別される出力電圧及び相互区別される出力電流を認可することができる請求項３に記載のユニバーサル充電装置。
【請求項６】
前記DCバスバーは第1DCバスバー及び第2DCバスバーを含んで複数に分岐され、
前記第1DCバスバーに繋がれた第1コネクターに比べて前記第2DCバスバーに繋がれた第2コネクターには前記第1DCバスバーより小さな電力値のDC電源が伝達し、
前記第1コネクターは急速充電用で使われ、
前記第2コネクターは中速充電用または緩速充電用として前記第1コネクターと区分けされ前記電気車に連結される請求項３に記載の充電装置。
【請求項７】
前記電気車の内部に設置されるEVバッテリー及びBMSと繋がるコネクター、前記コネクターを通じる充電量を表示する表示部が用意される充電台;を含み、
前記充電ユニットは前記充電台と別個に用意され相互違う位置に設置される請求項３に記載のユニバーサル充電装置。
【請求項８】
前記電気車の内部に設置されるEVバッテリー及びBMSと繋がるコネクターと前記コネクターを通じる充電量を表示する表示部が用意され、使用者指令の入力を受ける充電台;
前記充電ユニットで生成された前記 DC電源を前記充電台に伝達するパワー伝達部;
前記充電モジュールコントローラーとデータ通信しながら前記充電モジュールコントローラーを前記充電モジュール別に個別制御するメイン制御部;を含み、
前記メイン制御部は、前記BMS、前記パワー伝達部及び前記充電ユニットとデータ通信し、
前記メイン制御部は、前記BMSを通じて把握される前記電気車の充電状態、前記充電パックに用意された駆動チップを通じて把握される前記充電パックの温度及び動作状態、前記充電モジュールコントローラーを通じて把握される前記充電パックまたは前記充電モジュールの温度及び動作状態、前記充電台に入力された前記使用者指令の中で少なくとも一つを認識して、
前記メイン制御部は、前記各々のコネクター別に多様に認可される前記DC電源の電力値、前記DC電源の出力電圧及び前記DC電源の出力電流の中で少なくとも一つを最適に決定する請求項３に記載のユニバーサル充電装置。
【請求項９】
AC電源をDC電源に整流して第1電力値のDC電源を生成する充電パック;
前記充電パックが第1充電パックから第n充電パックまで並列に配列され、前記nは陽の整数である充電モジュール;
前記充電モジュールが第1充電モジュールから第k充電モジュールまで着脱可能に並列配列されて、前記kは陽の整数である充電ユニット;
電気車の内部に設置されるEVバッテリー及びBMSと連結される複数のコネクターと、前記コネクターを通じる充電量を表示する表示部が用意される充電台;
データ通信を通じて手に入れた前記充電パック、前記充電モジュール、前記充電ユニット、前記充電台及び前記BMSの設置個数または作動状態によって、前記充電パックの第1電力値から前記第1電力値の陽の整数倍にあたる多様な電力値のDC電源を前記コネクター別に区分供給するメイン制御部;を含むユニバーサル充電装置。
【請求項１０】
前記充電パックは、AC電源が入力されるACターミナル、前記AC電源を前記DC電源に整流する AC/DC 変換器、前記第1電力値の前記DC電源を出力するDCターミナル、前記DC電源の出力をオン/オフさせる充電パックスィッチを含み、
前記メイン制御部は前記充電パック別に前記充電パックスィッチをオン/オフさせ前記第1充電パックから第n充電パックの中で特定の充電パックを選択的に前記充電台に連結する請求項９に記載のユニバーサル充電装置。
【請求項１１】
前記充電パックは、AC電源が入力されるACターミナル、前記AC電源を前記DC電源に整流する AC/DC変換器、第1電力値の前記DC電源を出力するDCターミナル、前記DC電源の出力をオン/オフさせる充電パックスィッチを含み、
前記充電モジュールは、前記ACターミナルに前記AC電源を共通入力するAC入力部、前記DCターミナルを並列連結するDC出力部、前記充電パックとデータ通信しながら前記充電パックスィッチのオン/オフ可否を前記充電パック別に個別制御する充電モジュールコントローラーを含み、
前記充電ユニットは前記AC入力部に共通連結されるACバスバーと、前記DC出力部を並列連結する DCバスバーを含み、
前記AC電源は前記ACバスバーを通じて前記充電ユニットに入力された後前記AC入力部を通じて前記充電モジュール別に分配され前記ACターミナルを通じて前記充電パック別に共通入力され、
前記DCターミナルを通じて前記第1電力値に出力される前記DC電源は前記DC出力部及び前記DCバスバーを経ってその電力値が変動される請求項９に記載のユニバーサル充電装置、
【請求項１２】
前記メイン制御部が前記第1充電パックないし第n充電パックの中で特定の充電パックを選択してオンにすると前記 DC出力部で出力されるDC電源の電力値が変動され、
前記メイン制御部が前記第1充電モジュールから第k充電モジュールの中で特定の充電モジュールを選択して前記DCバスバーに連結させれば前記DCバスバーで出力されるDC電源の電力値が変動する請求項１１に記載のユニバーサル充電装置。
【請求項１３】
前記DCターミナルの中で少なくとも一部を選択して複数の組合で並列連結させるDCスィッチ部が前記DC出力部に用意されるか、
前記DCバスバーが複数筋用意される時前記DCバスバーの中で少なくとも一部を選択して複数の組合で並列連結させる可変リレー部が前記DCバスバーの出側に設置され、
前記メイン制御部は、前記DCスィッチ部または前記可変リレー部の中で少なくとも一つの動作を制御することで、前記第1充電パックないし第n充電パックの中で特定の充電パックを選択的に並列連結するか前記第1充電モジュールから第k充電モジュールの中で特定の充電モジュールを選択的に並列連結する 請求項１２に記載のユニバーサル充電装置。
【請求項１４】
前記メイン制御部は、前記各々のコネクター別に前記DC電源の出力電圧または前記DC電源の出力電流を区別して認可する請求項９に記載のユニバーサル充電装置。
【請求項１５】
電気車の内部に設置されるEVバッテリー及びBMSと繋がる複数のコネクターと、前記コネクターを通じる充電量を表示する表示部が用意される充電台;
AC電源をDC電源に整流して前記整流された前記DC電源を前記充電台に供給する充電ユニット;を含み、
前記充電ユニットは前記充電台と分離型に用意され相互違う場所に設置されるユニバーサル充電装置。
【請求項１６】
前記コネクター別に前記DC電源の電力値、前記DC電源の出力電圧、前記DC電源の出力電流の中で少なくとも一つが区別認可される 請求項１５に記載のユニバーサル充電装置。
【請求項１７】
AC電源をDC電源に整流する充電パックが複数個並列に配列された充電モジュールが第1充電モジュールから第k充電モジュールまで装着脱装可能に並列に配列される充電ユニット;
電気車の内部に設置されるEVバッテリー及びBMSと繋がる複数のコネクターと、前記コネクターを通じる充電量を表示する表示部が用意される充電台;
前記充電モジュール、前記充電ユニット、前記充電台及び前記BMSの設置個数または作動状態を前記電気車とデータ通信を通じて手に入れ、前記充電モジュール一つが出力するDC電源の電力値からここに前記陽の整数kを掛けた電力値まで変動可能な多様な電力値のDC電源を急速充電または緩速充電可否によって前記コネクター別に区分供給するメイン制御部;を含み、
前記充電ユニットは前記充電台と分離型に用意され相互違う場所に設置され、
前記コネクター別に前記DC電源の出力電圧、前記DC電源の出力電流の中で少なくとも一つが区別認可されるユニバーサル充電装置。